Podtech/llm-jp-corpus-v4-ja_patent huggingface dataset:
(57)【要約】      （修正有）【課題】手芸材料として、耐久性や保形性があり、且つ作業がしやすく、残紐や使用後の焼却処理などにおいても有害ガスなどの発生が少ない手芸用組紐を提供する。【解決手段】テープ状の機械漉和紙に撚り加工、しごき加工、筒撚り加工の何れかの加工を施した紙紐をつくり、これら紙紐の単数本乃至複数本を一組として複数組で編んで成る手芸用の組紐である。【選択図】図１
0003143616.tif 000002
【実用新案登録請求の範囲】
【請求項１】
テープ状の機械漉和紙に撚り加工、しごき加工、筒撚り加工の何れかの加工を施した紙紐をつくり、これら紙紐の単数本乃至複数本を一組として複数組で編んで成る手芸用組紐。
【考案の詳細な説明】
【技術分野】
【０００１】
本考案はテープ状の機械漉和紙による手芸用の組紐に関するものである。
【背景技術】
【０００２】
従来、手芸作品として作られている篭や小物入れなどは、主に籐や植物の蔓等を使用したものが多く、独特の雰囲気を出し強度面や耐水性にも優れているが、籐や蔓の入手が困難で、高価であるばかりか加工し難く、且つ折れやすいためその扱いには十分な注意が必要となる。
又合成樹脂素材による紐或は帯状のものも手芸に使用されることがあるが、残紐や使用後の焼却処理などにおいては有害ガスなどの発生する恐れがあるものとして社会問題ともなっている。
【考案の開示】
【考案が解決しようとする課題】
【０００３】
そこで本考案は、籐や蔓、合成樹脂製紐に代わるものとして機械漉き和紙でテープ状の紙ひも原紙を使用して撚り加工等を施して丸紙紐、平紙紐をつくり、且つこれらの紙紐の複数本を組み合わせた組紐を手芸材料として、耐久性や保形性のある手芸製品を、且つ作業のしやすいものを提供しようとするものである。更に残紐や使用後の焼却処理などにおいても有害ガスなどの発生の少ない物を提供しようとするものである。
【課題を解決するための手段】
【０００４】
テープ状の機械漉和紙に撚り加工、しごき加工、筒撚り加工の何れかの加工を施した紙紐をつくり、これら紙紐の単数本乃至複数本を一組として複数組で編んで成る手芸用の組紐である。
【考案の効果】
【０００５】
手芸材料として、耐久性や保形性のある手芸製品を、且つ作業がしやすく、残紐や使用後の焼却処理などにおいても有害ガスなどの発生が少なく、出来上がった手芸製品は風合いが良いばかりか、使い勝手が良く安価にできる。
【実施例】
【０００６】
これを図示の実施例によって詳記すると、図１において、テープ状の機械漉和紙に撚り加工を施し丸状とした紙紐１の３本を一組として三組で三つ編み状に編んで成るものである。
【０００７】
図２のものは前同様の紙紐１を３本を一組として四組で四つ編み状に編んだものである。
【０００８】
図示のものは何れも撚り加工をし丸状とした紙紐１を使用したものを記載したが、紙紐１はその他の加工、即ちテープ状の機械漉和紙を汎用のしごき加工、筒撚り加工(テープを筒状に加工したもの。)でも良く、その形状は丸状、平状の何れでも良く、一組とする紙紐１の本数や、組数は必要によって任意に変更できる。
【０００９】
手芸製品には撥水加工を施すようにするとよいが、その撥水加工はテープ状の機械漉和紙、紙紐の製造段階、編み作業段階、手芸製品の何れの段階で施しても良い。
【図面の簡単な説明】
【００１０】
【図１】本案に係る組紐の平面説明図。
【図２】他実施例に係る組紐平面説明図。
【符号の説明】
【００１１】
１：紙紐
【図１】
0003143616.tif 000003
【図２】
0003143616.tif 000004
(57)【要約】      （修正有）【課題】リモコンを無くしてしまい、使いたい時に使えない不便さを解消するリモコンボックスを提供する。【解決手段】凸のマジックテープ（登録商標）付樹脂性バネ状ストラップを設けたリモコンボックスのマジックテープとリモコンに貼り付けた凹のマジックテープを接合させることでリモコンとリモコンボックスが一体化され、リモコン使用時にはストラップが伸びることでリモコンの紛失を防ぐことができる。また、マジックテープを使用することでストラップが絡まった場合には、リモコンをこのストラップから外せば簡単に絡んだストラップをほどくことができる。【選択図】図１
0003143613.tif 000002
【実用新案登録請求の範囲】
【請求項１】
リモコンボックスにおいて、伸縮自在な帯状且つバネ状のストラップを備え、そのストラップの先端部にマジックテープ（登録商標）を設けたことを特徴とするリモコンボックス。
（１）
【考案の詳細な説明】
【技術分野】
【０００１】
本考案は、マジックテープ（登録商標）付きバネ状ストラップを設けたリモコンボックスに関するものである。
【背景技術】
【０００２】
TV用リモコンやDVDレコーダー用リモコンなど複数のリモコンを使用しているケースが多く、リモコンボックスがあっても、使いたい時に見つからない不便性があった。
【考案の開示】
【考案が解決しようとする課題】
【０００３】
従来のリモコンボックスの場合、リモコンが無くしてしまい、使いたい時に使えないケースが多い。従ってマジックテープ付バネ状ストラップをリモコンボックスに設けて、前述の問題点を解決しようとするものである。
【課題を解決するための手段】
【０００４】
本考案は、凸のマジックテープ（５）付樹脂性バネ状ストラップ（１）をリモコンボックス（２）に設けて、リモコン（３）に凹のマジックテープ（４）を貼り、凸と凹のマジックテープを接合することで問題点を解決している。
【考案の効果】
【０００５】
上述のように、本考案の凸のマジックテープ付樹脂性バネ状ストラップを設けたリモコンボックスのマジックテープとリモコンに貼り付けた凹のマジックテープを接合させることでリモコンとリモコンボックスが一体化され、リモコン使用時にはストラップが伸びることでリモコンの紛失を防ぐことができる。また、マジックテープを使用することでストラップが絡まった場合には、リモコンをこのストラップから外せば簡単に絡んだストラップをほどくことができる。
（２）
【考案を実施するための最良の形態】
【０００６】
凸のマジックテープ（５）付樹脂性バネ状ストラップ（１）をリモコンボックス（２）に設けて、リモコン（３）に粘着テープ付き凹のマジックテープ（４）を貼り、凸と凹のマジックテープを接合してリモコンを使用することで、ストラップが伸縮しリモコンの紛失が防げる。また、樹脂性バネ状ストラップを使用することで、複数のストラップをリモコンボックスに設けた場合にストラップ同士の絡まりを少なくすることができる事と同時に、絡まった場合には凸と凹のマジックテープを剥がすことにより簡単にストラップの絡みをほぐすことができる。なお、粘着テープ付き凹のマジックテープの貼り付け場所は、リモコンの電池カバー部分が望ましい。
【実施例】
【０００７】
以下、添付図面に従って一実施例を説明する。１は合成樹脂材等よりなるバネ状ストラップであり、その先端には５の凸のマジックテープを設けている。２は、このマジックテープ付ストラップを取り付けたリモコンボックスである。４は、粘着テープ付き凹のマジックテープであり、リモコン本体に貼る。
【図面の簡単な説明】
【０００８】
【図１】本リモコンボックスの表側斜視図である。
【図２】本リモコンボックスに設けたストラップの正面図である。
【符号の説明】
【０００９】
１  樹脂性バネ状ストラップ
２  リモコンボックス
３  リモコン
４  凹のマジックテープ
５  凸のマジックテープ
【図１】
0003143613.tif 000003
【図２】
0003143613.tif 000004
【手続補正書】
【提出日】平成20年6月4日(2008.6.4)
【手続補正１】
【補正対象書類名】図面
【補正対象項目名】全図
【補正方法】変更
【補正の内容】
【図１】
0003143613.tif 000005
【図２】
0003143613.tif 000006
(57)【要約】      （修正有）【課題】小型で処理能力に優れた食品調理装置を提供する。【解決手段】食材を調理するための液体を貯める液槽と、液槽内の液体よりも高い位置の水平回転軸に放射状に取り付けられた、水平回転軸の回転によって液槽内の液体に入って食材を一方向に押しながら移動させてやがて液槽の外に掃き出すための複数の掃き羽根と、水平回転軸を回転させるための駆動手段を少なくとも備えたことを特徴とする。【選択図】図１
0003143676.tif 000002
【実用新案登録請求の範囲】
【請求項１】
食材を調理するための液体を貯める液槽と、液槽内の液体よりも高い位置の水平回転軸に放射状に取り付けられた、水平回転軸の回転によって液槽内の液体に入って食材を一方向に押しながら移動させてやがて液槽の外に掃き出すための複数の掃き羽根と、水平回転軸を回転させるための駆動手段を少なくとも備えたことを特徴とする食品調理装置。
【考案の詳細な説明】
【技術分野】
【０００１】
本考案は、小型で処理能力に優れた食品調理装置に関する。
【背景技術】
【０００２】
従来から、例えば揚げ物を効率的に揚げる調理装置として、食材を揚げるための油を貯める油槽と、油槽内の食材を一方向に押しながら移動させて最後に油槽の外に掃き出すための搬送機構を備えた自動フライヤが知られている（例えば特許文献１）。
図３に示すように、従来から知られている自動フライヤ３１の搬送機構は、油槽３２よりも高い位置に少なくとも下部が水平ラインを形成する回転軌道上を一方向に回転する走行体としてのチェーン３３が設けられており、このチェーン３３には複数の掃き羽根３４が所定間隔で取り付けられている。掃き羽根３４は、チェーン３３が下部の水平ラインを通る時に、チェーン３３から下がった状態で、バーナ３９で加熱された油槽３２内に挿入され、油槽３２内の食材４９をチェーン３３の走行方向に押しながら移動させる。そして、最後に食材４９を油槽３２の外に掃き出して、揚がった食材４９を油槽３２の前方側に設けられた揚げ物バット４０上に押し上げる。このような自動フライヤ３１は、油槽３２内に掃き羽根３４だけを挿入させて、油槽３２内の食材４９を押しながら移動させるため、油槽３２を浅く構成することができることから油量を少なくすることができるという利点を有する。また、油槽３２内に挿入されるのは掃き羽根３４だけであるため、油槽３２や掃き羽根３４などの清掃を容易に行うことができるという利点を有する。
【特許文献１】特開２００４−２６１２６６号公報
【考案の開示】
【考案が解決しようとする課題】
【０００３】
しかしながら、上記のような食品調理装置は、処理能力に優れるものの、搬送機構が複雑でその分、装置が大型であるため、設置場所のスペースに制約がある場合には設置できないという問題があった。
そこで本考案は、小型で処理能力に優れた食品調理装置を提供することを目的とする。
【課題を解決するための手段】
【０００４】
上記の点に鑑みてなされた本考案の食品調理装置は、請求項１記載の通り、食材を調理するための液体を貯める液槽と、液槽内の液体よりも高い位置の水平回転軸に放射状に取り付けられた、水平回転軸の回転によって液槽内の液体に入って食材を一方向に押しながら移動させてやがて液槽の外に掃き出すための複数の掃き羽根と、水平回転軸を回転させるための駆動手段を少なくとも備えたことを特徴とする。
【考案の効果】
【０００５】
本考案の食品調理装置は、掃き羽根が液槽内の液体よりも高い位置の水平回転軸に放射状に取り付けられているため、従来から知られている搬送機構を備えた食品調理装置に比較して横幅が短く、従って極めてコンパクトでありながら処理能力に優れるものである。
【考案を実施するための最良の形態】
【０００６】
以下、本考案の食品調理装置を図面に基づいて説明するが、本考案の食品調理装置は以下の記載に限定して解釈されるものではない。なお、以下では、便宜上、本考案の食品調理装置が自動フライヤである場合について説明する。
【０００７】
図１は、本考案の自動フライヤの一実施形態の概略構成を示す正面図（一部透視図）であり、図２は、同、側面断面図である（要部のみ）。この自動フライヤ１は、架台１３上に油槽２が設けられているとともに、油槽２の背面側に上下に長い中空状のハウジング枠体３が設けられている。ハウジング枠体３からは、油槽２内の油よりも高い位置において水平回転軸４が油槽２の方向に向かって延出している。水平回転軸４は、ハウジング枠体３の内部に収容された駆動手段としてのモータ５によって自在に回転する。水平回転軸４の先端部には、回転盤６が取り付けられている。回転盤６の周囲には、水平回転軸４の回転によって油槽２内の油に入って食材１９を一方向に押しながら移動させてやがて油槽２の外に掃き出すための８枚の掃き羽根７が着脱自在に等間隔に取り付けられている。掃き羽根７の材質は、例えばステンレスである。油槽２内には、掃き羽根７の先端の回転軌道に沿うようにガイド板８が着脱自在に取り付けられており、このガイド板８によって食材１９は掃き羽根７で確実に一方向に押されながら移動し、最後に油槽２の外の揚げ物バット１０に掃き出される。ガイド板８は、例えば材質がステンレスであり、多数のパンチング孔を設けたり網状としたりすることで、油槽２内に着脱自在に設置した加熱手段としてのヒータ９によって加熱された油の槽内での流動を良好なものとし、油の温度を満遍なく均一なものとすることができる。油槽２内の油の温度や水平回転軸４の回転速度は、制御部１１によって制御することができ、表示部１２にその値が表示される。掃き羽根７、ガイド板８、ヒータ９を着脱自在とすることで、これらと油槽２の清掃を容易に行うことができる。
【０００８】
なお、この自動フライヤ１では、油槽２内の油の加熱手段を槽内に設置したヒータ９としたが、加熱手段は油槽２の下方に設置したバーナであってもよい。また、このフライヤ１では、掃き羽根７をＬ字形状とし、ハウジング枠体３の側から油槽２の方向に向かって延びたものとしたが、油槽２の上方まで延出させた回転盤６に長方形状の掃き羽根７を取り付けるようにしてもよい。回転盤６に取り付ける掃き羽根７の枚数は、８枚に限定されるわけではないことはいうまでもない。
【０００９】
本考案の食品調理装置は、自動フライヤの他、麺類の茹で装置などとしても利用することができる。
【産業上の利用可能性】
【００１０】
本考案は、小型で処理能力に優れた食品調理装置を提供することができる点において産業上の利用可能性を有する。
【図面の簡単な説明】
【００１１】
【図１】本考案の食品調理装置（自動フライヤ）の概略構成を示す正面図（一部透視図）である。
【図２】同、側面断面図である（要部のみ）。
【図３】従来の食品調理装置（自動フライヤ）の概略構成を示す正面図（一部透視図）である。
【符号の説明】
【００１２】
１  食品調理装置（自動フライヤ）
２  油槽
３  ハウジング枠体
４  水平回転軸
５  モータ（駆動手段）
６  回転盤
７  掃き羽根
８  ガイド板
９  ヒータ（加熱手段）
１０  揚げ物バット
１１  制御部
１２  表示部
１３  架台
１９  食材
【図１】
0003143676.tif 000003
【図２】
0003143676.tif 000004
【図３】
0003143676.tif 000005
(57)【要約】      （修正有）【課題】道路歩行者の交通事故を防止するための交通事故防止用ブレスレットを提供する。【解決手段】装着容易なＵ字型ブレスレットの中央部にＬＥＤと点灯用スイッチと小型ボタン電池で構成された光発生器具と外周部には光反射テープが貼られたことを特徴とする交通事故防止用ブレスレット。装着容易なＵ字型ブレスレットを着用し、道路横断時及び、道路の端を走行するとき常に点滅するＬＥＤを走行車両に対峙させて、走行車に夜間歩行者を意識させることに依り事故を防ぎ、走行車及び、歩行者本人及び周辺地域の安全、安心に貢献出来る。【選択図】図１
0003143635.tif 000002
【実用新案登録請求の範囲】
【請求項１】
Ｕ字型ブレスレットの内部中央にＬＥＤと点灯用スイッチと小型ボタン型電池で構成された光発生器具を組み込み、外周部には光反射テープが貼られたことを特徴とする交通事故防止用ブレスレット。
【請求項２】
光反射テープに白色、赤色、黄色、緑色のいずれか１色またはそれらの組み合わせとしたことを特徴とする請求項１記載の交通事故防止用ブレスレット。
【請求項３】
点滅ＬＥＤを複数個を組み込むことを特徴とする請求項１から２いずれか１項に記載の交通事故防止用ブレスレット。
【請求項４】
ブレスレットの径を変えたことを特徴とする請求項１から３いずれか１項に記載の交通事故防止用ブレスレット。
【考案の詳細な説明】
【技術分野】
【０００１】
本考案は、道路歩行者の交通事故を防止するための器具に関する。
【背景技術】
【０００２】
時速40ｋｍで走行した場合の車の走行距離は毎秒約１１.１ｍ、それに対して道路右端
を時速４ｋｍで歩行した場合の対面歩行者の歩行距離は毎秒約１.１m、運転手が５０ｍ手前で歩行者に気が付いて、双方がすれ違う地点までは４秒、短時間で衝突の危険は常にある、更に、道路横断中の歩行者と運転者双方の行動判断ミスによる事故が発生する危険がある。昼夜を問わず交通事故が多発する今日、夜間の道路歩行と横断中の事故のニュースが後を絶たない、特に夜間、交通弱者の歩行中の高齢者、自転車走行者等の衝突事故は被害者、加害者、更にこの関係者ともに悲惨な生活を強いられており、事故発生の原因を究明し事故撲滅のための手段を確立したい。
【考案の開示】
【考案が解決しようとする課題】
【０００３】
事故は何故発生するのか、原因を分析すると被害者、加害者ともに速度に対する行動判断の誤りが有ると考えられる、特に夜間は制限速度を越えて車を運転する者が多く、歩行者が道路横断中に間に合わずに事故が発生する危険が多分にあり,交通弱者、特に歩行者の事故を防ぐ手段を確立することを課題とする。
【課題を解決するための手段】
【０００４】
夜間、歩行者が遠くから確認しやすい点滅ＬＥＤと点灯用スイッチと小型ボタン型電池で構成された光発生器具を内蔵し、外周部には光反射テープが貼られたＵ字型ブレスレットを提案する。前述、背景技術で説明した速度に対して安全かどうかの判断力が重要な鍵となる。道路横断中の歩行者が、走行車両に対して安全に横断できずに衝突事故が発生するケースが多い、特に交通量の少ない夜間では制限速度を越えて疾走する車が多いのも重大事故の原因にもなっている。ここでは上記課題を解決するための手段として、前述の装着容易なＵ字型ブレスレットを着用して点滅させ、道路横断時はブレスレットを常に点滅するＬＥＤを走行車両に対峙させて、走行車に夜間歩行者を認識させ事故防止を促す。
【０００５】
Ｕ字型ブレスレットの外周に、夜間、車のライトを受けて遠くからでも反射する白色、赤色、黄色、緑色等のいずれか１色またはそれらの組み合わせによる光反射テープを付帯させ、中央にＬＥＤと点灯用スイッチと小型ボタン型電池で構成された光発生器具を組み込むための穴を加工する。
【０００６】
Ｕ字型ブレスレットの内部に点滅式の赤色、黄色又は白色のいずれか１色またはそれらの組み合わせによるＬＥＤと点灯用スイッチと小型ボタン電池で構成された光発生器具を中央部に加工された穴に合わせて組み込み、ブレスレットを着装した本人が外周にタッチして、簡単にＯＮ、ＯＦＦを保持できるワンタッチ式のスイッチを付帯する。ＬＥＤは光の可視範囲を広げるために、複数個取り付けてもよい。
【０００７】
Ｕ字型ブレスレットは軽量の弾力性のある樹脂材が好ましいが木材やゴム等でも良い、内部には緩衝材としてフェルト、スポンジ、ウレタンフォーム等を貼り付け、Ｕ字型ブレスレットの内周には肌触りのよい軟らかい素材をカバーとして用いても良い。
【０００８】
点滅式ＬＥＤと点灯用スイッチと複数の小型ボタン電池で構成された光発生器具は、ブレスレットの内側に収納可能な、大きさ２０ｍｍ程度の小型のプリント基板に小型ボタン電池が複数個と点滅式ＬＥＤとＯＮ、ＯＦＦスイッチが回路設計され内部緩衝材に組み込まれて構成されている。
【考案の効果】
【０００９】
光反射テープと点滅ＬＥＤの光により、車の運転手に注意を促し、歩行者の特に道路横断者に対して、事故防止の効果がある。また、夜間においてはより効果を発揮する。
【考案を実施するための最良の形態】
【００１０】
以下、本考案の実施の形態を図１〜図４に基づいて説明する。
【００１１】
図１においては、Ｕ字型ブレスレットの外周に光反射テープを貼り付け、中央部にＬＥＤを組み込み、腕と接触する部分に柔らかい素材がＵ字型に組み込まれた斜視図の一例を示す。また、用途に合わせて、ブレスレッドの径を変更して、製作する事も出来る。
【００１２】
図２においては、Ｕ字型ブレスレットの外周は夜間５０ｍ以上の遠くからでも車のライトを受けて反射する赤色、黄色、緑色等で認識できる用に加工された反射テープとし、中央にはＬＥＤを組み込むことの出来る穴を加工した正面図の一例を示す。
【００１３】
図３においては、Ｕ字型ブレスレットの径を変更して、場合によっては、用途に合わせ  て腕章としても着用出来るＵ字型ブレスレットの平面図の一例を示す。
【００１４】
図４においては、ブレスレットの中央内面に、寸法２０ｍｍ程度の小型のプリント基板に２個の小型ボタン電池と点滅式ＬＥＤを組み込み、ＯＮ、ＯＦＦを保持するワンタッチ式のスイッチを組み込んだ時の光発生器具の一例の斜視図を示す。
【図面の簡単な説明】
【００１５】
【図１】Ｕ字型ブレスレットの反射テープを組み込んだ一例の斜視図
【図２】Ｕ字型ブレスレットの光反射テープを組み込んだ一例の正面図
【図３】Ｕ字型ブレスレットの一例の平面図
【図４】光発生器具の一例の斜視図
【符号の説明】
【００１６】
１    Ｕ字型ブレスレット
２    光反射テープ
３    ＬＥＤ
４    小型プリント基板
５    ワンタッチ式のスイッチ
６    小型ボタン電池
７    Ｕ字型緩衝材
【図１】
0003143635.tif 000003
【図２】
0003143635.tif 000004
【図３】
0003143635.tif 000005
【図４】
0003143635.tif 000006
(57)【要約】      （修正有）【課題】安定性があり、容器の置き場ができ、液垂れ、倒れを防止できる飲食用液体添加容器を提供する。【解決手段】角柱状容器本体２とその上部に引掛け部材３を有する前部とこの引掛部材と一体的に中央開口部を有すると共に後部はがし蓋台に切込み線を設けて、該はがし蓋台の上に、はがし蓋を設ける。また、前記角柱状容器本体は引掛け部を有する前部側の面が、後部側に傾斜した形状にすることも可である。【選択図】図１
0003143639.tif 000002
【実用新案登録請求の範囲】
【請求項１】
角柱状容器本体と該容器本体の上部には引掛け部材を有する前部と、この引掛け部材と一体的に中央部開口部を有すると共に後部はがし蓋台に切込み線を設けて
該はがし蓋台の上にはがし蓋を設けたことを特徴とする飲食用液体添加容器。
【請求項２】
前記角柱状容器本体は引掛け部を有する前部側の面が、後部側に傾斜した形状であることを特徴とする請求項１記載の飲食用液体添加容器。
【考案の詳細な説明】
【技術分野】
【０００１】
本考案は容器を一辺の上部が細い台形状で、前部、上部に引掛け部を設けた使い捨ても含む、飲食用液体添加容器に関するものである。
【背景技術】
【０００２】
今回はコーヒーフレッシュ容器を例とした。飲食店等でコーヒーカップ、受け皿と共に、フレッシュミルクを持って来る。フレッシュミルク持参時も滴下後も容器の下面が小さく安定性がなく倒れ易い上に液垂れ、置く場所も定まらなかった。
【考案の開示】
【考案が解決しようとする課題】
【０００３】
従来は切頭円錐形で、径の大きい方が上を向いた状態で、下部が細く丸いため安定性に欠き特に滴下後は液が垂れたり、倒れたり、置く場所も定まらなかった。
【課題を解決するための手段】
【０００４】
第一の考案は、角柱状容器本体と該容器本体の上部には引掛け部材を有する前部と、この引掛け部材と一体的に中央部開口部を有すると共に後部はがし蓋台に切込み線を設けて、該はがし蓋台の上に、はがし蓋を設けたことを特徴とする飲食用液体添加容器である。第二の考案は、前記角柱状容器本体は引掛け部を有する前部側の面が、後部側に傾斜した形状であることを特徴とする請求項１記載の飲食用液体添加容器である。本考案で特定した飲食用液体とはフレッシュミルク、サラダドレッシング等飲食に用いる調味料や添加するものを言う。本考案の容器は前部、上部に引掛け部材を有し、又、上部、前部側の容器面を後部側に傾斜をさせた角柱台形状にした。又、通常コーヒーカップ受皿は上部縁から中央部に向け傾斜している。該容器の傾斜部と皿の傾斜部が相対して平行になることと、皿上部縁に容器の引掛け部材を掛けることで容器を安定して置ける。又、この様に置くことで、残液は容器、前部、傾斜部の最下部に溜まるため垂れ防止となる。
【考案の効果】
【０００５】
上述の様に、本考案の飲食用液体添加容器は下面が広い台形状のため安定性がある。立てて置いても倒れず安定性があり、容器に引掛け部を設けたことで、皿の上部縁に掛けて置く、又容器本体の前部側を傾斜させたため、容器全部側を下面にして皿の上に置くことで、皿の傾斜部と相対して平行に載るため更に安定感を増した。
又、この様に置くことで、残液は容器、前部、傾斜部の最下部即ち容器の底部側に溜まるため垂れ防止となる。
【考案を実施するための最良の形態】
【０００６】
コーヒー持参時又フレッシュミルク滴下後も、コーヒー受け皿の上部縁に容器引掛部を掛けて持参又置くことができる。特に滴下後の液垂れ、容器の倒れの防止、容器の置く場所等も定まりスマート性を持つこととした。又、普通に立てて置いても広い下面を下にした台形状のため安定性がある。
【実施例１】
【０００７】
以下、添付図面に従って一実施例を説明する。実施例はコーヒーフレッシュにおいて記載してあるが、サラダドレッシング等にも使用できる。本考案はポリプロピレン等適宜素材及び上部はがし蓋（５）は白アルミニウム蒸着等適宜素材にて形成される。はがし蓋台（４）には、例えば図２に示すように点線部（６）に折れ込み線を入れて、この折れ込み線で切り離され、その上に設けられたはがし蓋（５）をはがす。その後、はがし蓋（５）をはがすと開口部が現れて、その開口部からフレッシュをコーヒーに滴下する。図５は容器を皿の上に載せた場合の縦断面を示す。
フレッシュ滴下後は図５の様に容器上部をコーヒー皿（１０）上部縁に掛けて置き、容器の前部傾斜部を下にして皿の上に載せて置くため、残液は容器の傾斜部の最下部（９）に溜まるため、液垂れ防止にもなる。
【図面の簡単な説明】
【０００８】
【図１】本考案のフレッシュ容器の斜視図である。
【図２】本容器の実施例を示す平面図である。
【図３】本容器の実施例を示す正面図である。
【図４】図３のA−A線断面図である
【図５】容器の使用例
【符号の説明】
【０００９】
１  コーヒーフレッシュ容器
２  容器本体
３  引掛け部材
４  はがし蓋台
５  はがし蓋
６  切込み
７  前部側
８  後部側
９  容器傾斜部の最下部
10  コーヒー皿
【図１】
0003143639.tif 000003
【図２】
0003143639.tif 000004
【図３】
0003143639.tif 000005
【図４】
0003143639.tif 000006
【図５】
0003143639.tif 000007
(57)【要約】      （修正有）【課題】大気中のＣＯ2濃度の増加の抑制，化石燃料消費の削減、マテリアルリサイクルなどのリサイクルが可能な環境にやさしい、しかも接着材として従来、使用しにくかった自動車内装材においても低ＶＯＣを実現できる接着シートを提供する。【解決手段】ひまし油，ひまわり油，ヤシ油から選ばれた植物由来成分を一部あるいは１００％含有した原料の合成からなる共重合ポリアミド樹脂を紡出し、該紡出線条１によりくもの巣状の接着シートＡあるいは三次元立体構造の接着シートに形成した。【選択図】図１
0003143637.tif 000002
【実用新案登録請求の範囲】
【請求項１】
植物由来成分を含有した原料の合成による共重合ポリアミド樹脂の紡出によって形成され、紡出線条間に多数の空隙を有する三次元立体構造あるいはくもの巣状構造を有していることを特徴とする植物由来成分含有接着シート。
【請求項２】
植物由来成分がひまし油，ひまわり油，ヤシ油から選ばれた何れかである請求項１記載の植物由来成分含有接着シート。
【考案の詳細な説明】
【技術分野】
【０００１】
本考案は植物由来成分を含有した原料を使用し、環境にやさしく、しかもＣＯ2排出量を削減し得る植物由来成分含有接着シートに関するものである。
【背景技術】
【０００２】
ポリエステル樹脂等により紡出し、くもの巣状あるいは三次元立体構造に形成した接着シートは本出願前より公知（例えば特許文献１参照）であり、自動車内装材を始め、各種不織布積層材の分野において通気性を阻害しない接着材として広く使用されている。
【０００３】
ところで、上記従前の接着材は一般にポリエステル，ポリプロピレンなど、石油由来成分からなる樹脂によって形成されている。しかし、近時の傾向として大気中のＣＯ2濃度による環境汚染が問題となり、ＣＯ2排出量の削減が求められると共に再生可能資源の利用に関心が持たれて来た。そのため、前記石油由来成分による接着材においては化石燃料の消費と共にＣＯ2排出による環境汚染の問題を有しているため、これに対する改善の気運が生じて来た。
【特許文献１】特開平７−３０２６８２号公報
【考案の開示】
【考案が解決しようとする課題】
【０００４】
本考案は上述の如き実状に鑑み、これに対処すべく植物由来成分の利用をはかることにより、大気中のＣＯ2濃度の増加を抑制し、再生資源の活用及び化石燃料消費の削減と共に、環境にやさしく、接着材として自動車内装材等の接着に用いて揮発性有機化合物の排出低減（低ＶＯＣ）を実現する接着シートを提供することを目的とするものである。
【課題を解決するための手段】
【０００５】
即ち、上記目的に適合する本考案接着シートは、植物由来成分を含有した原料の合成による共重合ポリアミド樹脂の紡出により形成され、紡出糸条間に多数の空隙を有する三次元立体構造あるいはくもの巣状構造を有している構成を特徴とする。
【０００６】
なお、上記植物由来成分としてはひまし油，ひまわり油，ヤシ油が挙げられ、これらより選ばれた１種又は２種以上が使用される。
【考案の効果】
【０００７】
上記本考案接着シートによれば、植物由来成分含有の原料により形成されるため、石油由来の合成成分と異なりＣＯ2排出量を削減し、大気中のＣＯ2濃度の増加を抑制することができると共に、石油由来成分による化石燃料の消費削減に寄与し、再生資源の活用可能で、かつ環境にやさしい接着材として自動車内装材における接着に使用し低ＶＯＣを実現することができる。しかも三次元立体構造あるいはくもの巣状構造に作成されているから線条間の空隙を有し、線接着となって接着効果も良好である。
【考案を実施するための最良の形態】
【０００８】
以下、添付図面に基づいて本考案の具体的態様を詳述する。図１は本考案に係るくもの巣状構造の接着シートＡ、図２は本考案に係る三次元立体構造の接着シートＢの例であり、これら図において１は該シートを構成する紡出線条であり、ひまし油，ひまわり油、ヤシ油から選ばれた１種又は２種以上の混合による共重合ポリアミド樹脂を既知の手段によって紡出することによって形成されている。
【０００９】
即ち、上記共重合ポリアミド樹脂をノズルより紡出し、エアーサッカー法による吸引でネット上にランダムに堆積し、巻き取ることによりくもの巣状構造の接着シートＡを得、また共重合ポリアミド樹脂を所要の幅，長さのノズル有効面に適宜の孔間ピッチで配列したノズルより吐出させ、ノズル面下に配設された冷却水面に一部出るように配された一対の引き取りコンベア上に引き取り、両面を挟み込みつつ冷却水中へ引き込み固化させた後、巻き取ることにより三次元立体構造で繊維同士が一部融着された接着シートＢを得ることができる。
【００１０】
ここで、上記共重合ポリアミド樹脂を組成するひまし油，ひまわり油，ヤシ油から選ばれた１種又は混合による植物由来成分は１００％含有に限らず、石油由来成分と共に一部含有した原料であってもよいが、少なくとも２５％含有することが好ましい。
【００１１】
また、接着シートの形態は紡出線条間に空隙を有する前記くもの巣状構造あるいは三次元立体構造とすることが好適であり、あまり密着平面化するなど空隙を消失させることは得策でない。これらはその構造から被接着体との接着が線接着になるので通常の粉体に比し遙かに接着効率が良好であると共に、密着平面化等に対して無駄な樹脂使用量を削減できるからである。なお、上記接着シートを構成する線条は線径が２０〜５００μｍの範囲であることが有利であり、その目付質量としては２０〜２００ｇ／ｍ2の範囲が好適である。かくして上記より得られる接着シートはマテリアルリサイクル，バイオリサイクルなどのリサイクルが可能な環境に優しい接着材として従来、使用し難かった自動車内装材においても低ＶＯＣを実施することができる。
【図面の簡単な説明】
【００１２】
【図１】本考案に係るくもの巣状構造の接着シートを示す斜視図であり、一部を拡大して示す。
【図２】本考案に係る三次元立体構造の接着シートを示す斜視図であり、一部を拡大して示す。
【符号の説明】
【００１３】
Ａ：くもの巣状構造接着シート
Ｂ：三次元立体構造接着シート
１：植物由来成分を含有した原料の紡出線条
【図１】
0003143637.tif 000003
【図２】
0003143637.tif 000004
(57)【要約】      （修正有）【課題】イヤホーンを耳の中に入れることでの違和感がなく、又耳を塞がれることで、外音が聞こえないことによる危険度が低いイヤホーンの耳掛けハンガーを提供する。【解決手段】耳掛けハンガー１に、イヤホーン取り付け口１ａに、イヤホーンを取り付ける、又形状を平型にしたこと、密着性のよい柔らかいプラスチック等適宣素材で内部に柔らかい金属線１ｂを入れ、一体化形成されている、柔らかい金属線１ｂを入れていることで、個人の耳の形状にあわせて変化できることで、イヤホーン２を耳に入れ固定する必要がないので、違和感がなく、外部音が聞こえることで危険を避けることができる。【選択図】図２
0003143080.tif 000002
【実用新案登録請求の範囲】
【請求項１】
イヤホーン耳掛けハンガーの形状を平型にし、水平に取り付けることで耳の中に入れる必要がないことで、鼓膜に圧迫感がない、又外部音が聞こえることで危険を避けることができる、長時間の使用するこことが出来る、イヤホーン耳掛けハンガー、又表裏を対称にすることで左右の耳に使用出来る、イヤホーンの耳掛けハンガー
【請求項２】
イヤホーン耳掛けハンガーの形状を平型にし、密着性がよく、柔らかいプラスチック等適宣素材の内部に柔らかい金属線を入れ、自由に形を変えることで耳に合わせることが出来る、一体化形成された、イヤホーンの耳掛けハンガー
【考案の詳細な説明】
【技術分野】
【０００１】  本考案はイヤホーンの耳掛けハンガーに関するものである
【背景技術】
【０００２】  イヤホーンの耳掛けハンガーはイヤホーンを耳の中入れることで固定されたのを、外れた時に落下を防ぐための補助的のものであった、
【考案の開示】
【考案が解決しようとする課題】
【０００３】  イヤホーンを耳の中に長時間いれると圧迫感がある、又耳を外音が聞こえないことで、危険を察知できないことにある、これを解決しようする
【考案を解決するための手段】
【０００４】  本考案はイヤホーンを耳の中に入れなくても、形状を平型にし接触面を多すること、又蜜着性の良く柔らかいプラスチック等適宣素材を使用することで違和感なく使用できた、又内部に柔らかい金属の線を入れ、自由に耳に合うようにすることで確実に固定できる、平型の表裏を同一の形状にすることで、左右に利用できる、耳掛けハンガーである、これで問題点のを解決している。
【考案の効果】
【０００５】  上述の様に、本考案はイヤホーンを耳の中に入れないことで、鼓膜に圧迫感がなく、又外部音が聞こえることで、危険を察知することができる、密着性がよいので、確実に固定出来るので、長時間の使用できる効果がある。
【考案の実施するための最良の形態】
【０００６】  本考案は耳掛けハンガーの形状を平型にする、又素材を蜜着性のあり、柔らかいプラスチック等適宣素材で内部に柔らかい金属線を入れ、一体化成型することで、個人差のある、耳にあわせて形状を変化できるので、皮膚との密着力が増し、より安定して使用できる、また平型の表裏を対称にすることで左右の耳に使用出来ることで、最良の形態をえた、柔らかい素材を使用しているので、イヤホーンの取り外しが簡単に出来るこで、本考案の実施するための最良の形態をえた。
【実施例】
【０００７】  以下添付図面に従って一実施例を説明する。１は本考案のイヤホーンハンガーである、１ａはイヤホーン取り付け口である、柔らかく、密着性のある素材あるので、少し小さい形状にすることで簡単に取り外しができる、また密着性のある素材で簡単に外れない、１ｂは個人の耳の形状が異なるため、柔らかい金属の線を入れることで、形状を変化させ、より個人、個人の耳の形状に合わせること出来た。【０００８】  ２はイヤホーンである、２ａはリード線である
【図面の簡単な説明】
【０００９】
【図１】本考案の正面図一部断面側面図
【図２】本考案の正面図
【図３】側面図
【符号の説明】
【００１０】１本考案のイヤホーンハンガー
２イヤホーン
【図１】
0003143080.tif 000003
【図２】
0003143080.tif 000004
【図３】
0003143080.tif 000005
(57)【要約】      （修正有）【課題】買物袋において  引裂強度、不透明性、繰返使用など耐久性を持つ買物袋を提供する。【解決手段】ポリプロピレン不織布がエンボス加工され、それに厚物熱圧着加工により製袋加工される。エンボス加工ポリプロピレン不織布を更に製袋加工する熱加工には、高周波あるいは超音波による、いわゆる厚物熱圧着加工を採用する。【選択図】図１
0003143071.tif 000002
【実用新案登録請求の範囲】
【請求項１】
エンボス加工を施したポリプロピレン不織布をヒートシールして製袋した物。
【考案の詳細な説明】
【技術分野】
【０００１】  本考案は、エンボス加工を施したポリプロピレン不織布を熱加工し製袋する工夫である。
【背景技術】
【０００２】  従来  通称レジ袋は  ポリエチレンの単層シートによる物であったが、廉価ではあるが引裂強度が低く繰返し使用には耐えられず、いわゆる使い捨てであった。【０００３】  引裂強度が高く柔軟性で不透明で且つ廉価である  シート状材料が求められていた。
【考案の開示】
【考案が解決しようとする課題】
【０００４】  引裂強度と不透明性から不織布を選び、更にエンボス加工が可能な物を採用する。【０００５】  エンボス加工が可能なものは  更に熱加工によって製袋加工も可能である。
【課題を解決するための手段】
【０００６】  シートの使途に合わせ  繰返使用からエンボス加工ポリプロピレン不織布を採用する。【０００７】  エンボス加工ポリプロピレン不織布を更に製袋加工する熱加工には  高周波あるいは超音波による  いわゆる  厚物熱圧着加工を採用する。
【考案の効果】
【０００８】  引裂強度、不透明性、繰返使用から  耐久性買物袋となる。
【考案を実施するための最良の形態】
【０００９】  ポリプロピレン不織布はエンボス加工され  厚物熱圧着加工により製袋加工する。
【実施例１】
【００１０】  図１のように  エンボス加工ポリプロピレン不織布を厚物熱圧着加工する。
【図面の簡単な説明】
【図１】  不織布袋を正面から見た断面図
【符号の説明】
【００１１】  １  エンボス加工ポリプロピレン不織布
２  厚物熱圧着加工
【図１】
0003143071.tif 000003
(57)【要約】      （修正有）【課題】女性側に装着するよう凹型袋状陥没穴付きのパンティー、スキャンティー、Ｔバック、乃至大型シートであり、より避妊面や、性的行為の衛生的面に資する。【解決手段】超極薄型皮膜等や樹脂等の袋状穴をパンティー、スキャンティー、Ｔバック、広いシート状中央に一体化し、より挿入し易く、ちゅうそうの繰り返しによっても外れにくくなるよう避妊面、性的行為衛生面に役立つ。【選択図】図５
0003143077.tif 000002
【実用新案登録請求の範囲】
【請求項１】
女性膣内面に挿入可能サイズの、男性ペニス迎え入れ可能凹状の袋状になった陥没穴付きの、パンティー形状、スキャンティー形状、Ｔバック形状の極薄型ラテックス等合成樹脂製等の膜からなるもの
【請求項２】
女性膣内面挿入可能サイズの、男性ペニス迎え入れ可能凹状の袋状になった陥没穴付きの、女体の腰部下腹部上に覆い被さるに充分な大きさに周囲が広がりを持つこと可能な、外周が平面形状の極薄型ラテックス等合成樹脂製等の膜からなる平たいシート
【考案の詳細な説明】
【技術分野】
【０００１】  本考案は、女性器等に男性器等を挿入する時に使用する避妊等乃至は衛生管理等の用途で使用する仕切に用いられる皮膜に関するものである。
【背景技術】
【０００２】  現在出回っている同様の用途に使用されているとするものは、男性器側に装着するものがあるようだが、外れたり、膣内等に残ったり、必ずしも男女等の体液が混ざりにくいものとはいいがたい面も少なからず持っているように思われる。
【考案の開示】
【考案が解決しようとする課題】
【０００３】  本考案は、女性側が装着するので、男性側に本考案を装着することがないため、装着することによる様々な負担や不具合がなくなりやすい。
両者の体液分離がよりなされやすくなり、衛生面でもより衛生的になりやすい。
女性等側が履くことにより、より外れにくくなるか、又は大きな面上で女性等側に覆い被せて使用するため、膣内等により残りにくくなりやすい。
【課題を解決するための手段】
【０００４】  本考案は、凹状の袋付きの女性等側装着もしくは女性等側に覆い被せるため、そして準備されて待たれているため、男性側等が勃起してから装着する時間的ロスを防ぎ、萎えたり、気分をそがれたりすることを防ぎやすく、また、あらかじめ女性等側から的が設定されており、さらにすり鉢状になっており、的に容易に導かれやすい。潤滑液を塗布すればさらに容易になる。
両者共興奮しても脱げたり、はずれたりしにくいので、より避妊面、衛生的な面においても貢献しやすい。
【考案の効果】
【０００５】  いままで、男性側等に装着されるものであったため主導権が曖昧であったが、より女性側等に装着の主導権選択権等ができ、乃至は移り、より避妊面、衛生面において、より役立ち、より社会的貢献をなすものとなる。
【考案を実施するための最良の形態】
【０００６】  性感を損ないにくくするため凹状袋形の部分は超極薄型だが、膣内面以外は履いたり、覆い被さる部分は、厚く容易に装着しやすいものか、段々厚くするか工夫する。
【実施例】
【０００７】  女性等側が履くか下腹部上に置くかして身に付けるかまとい、さらに袋状凹部分を自らの膣口にあてがうか差込むかし、男性側等に挿入を促すか、待つ。そのようにして実施されるとスムーズにゆく。
【産業上の利用可能性】
【０００８】  商品化され、大量消費展開となれば、生産者側関連からのＧＤＰ増大に貢献するのみならず、家族計画関連、医療関連、各種付帯産業のスムーズ化、向上化に貢献する。
【図面の簡単な説明】
【０００９】
【図１】  パンティー仕様のパンティー一体型皮膜を立体的に描いた正面図である。
【図２】  パンティー仕様のパンティー一体型皮膜を断面で描いた側面図である。
【図３】  スキャンティー乃至、Ｔバック仕様のスキャンティー、Ｔバック一体型皮膜を立体的に描いた正面図である。
【図４】  スキャンティー乃至、Ｔバック仕様のスキャンティー、Ｔバック一体型皮膜を断面で描いた側面図である。
【図５】  シート型仕様のシート一体型皮膜を立体的に描いた正面図である。
【図６】  シート型仕様のシート一体型皮膜を断面で描いた側面図である。
【符号の説明】
【００１０】    １  男性器受け入れ部
２  パンティー形状部
３  男性器受け入れ部
４  スキャンティー、Ｔバック形状部
５  男性器受け入れ部
６  平たいシート形状部
【図１】
0003143077.tif 000003
【図２】
0003143077.tif 000004
【図３】
0003143077.tif 000005
【図４】
0003143077.tif 000006
【図５】
0003143077.tif 000007
【図６】
0003143077.tif 000008
(57)【要約】      （修正有）【課題】ＰＥＴボトルの大きさにかかわらずＰＥＴボトルの携帯性を良くし、ＰＥＴボトルを携帯しない時は、簡単に衣類のポケット等に収まる携帯用具を提供する。【解決手段】紐で形成した１つの輪の中に、いわゆる巻き結びの結び目で輪状の巻き付け部２を形成し、残りの部分を吊り下げ部３とし、巻き付け部を形成する２本の紐を束ねる束ね部４を設け、この束ね部と２本の紐が相互に移動できるようにした。【選択図】図１
0003143074.tif 000002
【実用新案登録請求の範囲】
【請求項１】
紐で形成した１つの輪の中に、いわゆる巻き結びの結び目で輪状の巻き付け部を形成し、残りの部分を吊り下げ部とし、巻き付け部を形成する２本の紐を束ねる束ね部を設け、束ね部と２本の紐が相互に移動できる事を特徴とするＰＥＴボトル携帯用具
【考案の詳細な説明】
【技術分野】
【０００１】ＰＥＴボトルを携帯する用具の形状に関する。
【背景技術】
【０００２】従来あるＰＥＴボトル携帯用具は、図８に示すように、袋状のものにＰＥＴボトルを収納して、紐やベルト等で吊り下げるものである。
【考案の開示】
【考案が解決しようとする課題】
【０００３】  しかしながら、従来あるＰＥＴボトル携帯用具の技術によれば、ＰＥＴボトルと用具の大きさが異なる時に、ＰＥＴボトルの収まりが悪く携帯性が悪かった。また、ＰＥＴボトルを携帯していない時に用具自体が嵩張り荷物になった。
そこでこの考案は、ＰＥＴボトルの大きさに関わらずＰＥＴボトルの携帯性を良くし、ＰＥＴボトルを携帯しない時は嵩張らず、簡単に衣類のポケット等に収まるＰＥＴボトル携帯用具を提供する事を課題とする。
【課題を解決するための手段】
【０００４】  以上の課題を解決するために、第一考案は、紐で形成した１つの輪の中に、いわゆる巻き結びの結び目で輪状の巻き付け部を形成し、残りの部分を吊り下げ部とし、巻き付け部を形成する２本の紐を束ねる束ね部を設け、この束ね部と２本の紐が相互に移動できる事を特徴とするＰＥＴボトル携帯用具である。
【考案の効果】
【０００５】    第一考案によれば、紐で形成した１つの輪に、いわゆる巻き結びの結び目で輪状の巻き付け部を形成し、巻き付け部を形成する２本の紐を束ねる束ね部を設けた事により、巻き付け部が解けて１つの輪に戻る事を防止でき、巻き付け部の形状を常に維持できる。また、束ね部と２本の紐が相互に移動できる構造とした事により、結び目の位置をずらして巻き付け部の輪の大きさが自在に変えられるので、ＰＥＴボトルを携帯する時は、巻き付け部をＰＥＴボトルの飲み口から首部に通した後に、首部から抜けないように締め付けて、最初の輪の残りの部分を持ってＰＥＴボトルを吊り下げて携帯する事ができる。そしてＰＥＴボトルを携帯しない時は、巻き付け部の形状を維持したまま、衣類のポケット等に簡単に収納できる。
【考案を実施するための最良の形態】
【０００６】  この考案の一実施形態を、図１〜図３に示す。
図２のように紐で形成した１つの輪に、図３のように、いわゆる巻き結びの結び目１で輪状の巻き付け部２を形成する。巻き結びにした事により、巻き付け部２は２本の紐で形成される。この時、最初の輪の残りの部分は吊り下げ部３となる。巻き付け部２の直径は、自在に変えられるので、ＰＥＴボトルの飲み口から首部まで通せる大きさとしておく。そして図１のように、巻き付け部２を形成する２本の紐を布等の屈曲性のある薄く細長い板状の素材からなる束ね部４で包み込んで束ね、余剰の部分を２本の紐の外側で接着した。束ね部４と２本の紐は固着している箇所が無く相互に移動できる。【０００７】「実施形態の効果」
この考案の実施形態の効果を図４に示す。
この実施形態によれば、巻き付け部２をＰＥＴボトル５の飲み口から首部に通した後に、首部から抜けないように巻き結びの結び目１を締め付け、吊り下げ部３を持ってＰＥＴボトル５を吊り下げて携帯する事ができ、ＰＥＴボトル５を携帯しない時は、巻き結びの結び目１と、巻き付け部２の形状を維持したまま衣類のポケット等に簡単に収納する事ができる。【０００８】「他の実施形態」
他の実施形態を図５〜図７に示す。
図１の実施形態では、束ね部４は、巻き付け部２を形成する２本の紐を包み込んで束ね、余剰の部分を２本の紐の外側で接着したが、他の実施形態１では、図５に示すように２本の紐を包み込んでそのまま重ね巻きして接着しても良い。
また、図１の実施形態では、紐で形成した１つの輪から巻き付け部２を形成したが、他の実施形態２では、図６に示すように、筒状の束ね部２に紐を通しながら巻き結びを行って巻き結びの結び目１と、巻き付け部２を形成し、最後に図７に示すように、紐の端を結んで吊り下げ部３を形成しても良い。
【図面の簡単な説明】
【０００９】
【図１】この考案の一実施形態を示す斜視図である。
【図２】この考案の一実施形態を示す斜視図である。
【図３】この考案の一実施形態を示す斜視図である。
【図４】この考案の一実施形態の効果を示す斜視図である。
【図５】他の実施形態１を示す斜視図である。
【図６】他の実施形態２を示す斜視図である。
【図７】他の実施形態２を示す斜視図である。
【図８】従来技術を示す斜視図である。
【符号の説明】
【００１０】１  巻き結びの結び目                  ２  巻き付け部
３  吊り下げ部                        ４  束ね部
５  ＰＥＴボトル                      ６  従来のＰＥＴボトル携帯用具
【図１】
0003143074.tif 000003
【図２】
0003143074.tif 000004
【図３】
0003143074.tif 000005
【図４】
0003143074.tif 000006
【図５】
0003143074.tif 000007
【図６】
0003143074.tif 000008
【図７】
0003143074.tif 000009
【図８】
0003143074.tif 000010
(57)【要約】      （修正有）【課題】写真、絵画等の額縁の透明表面板から水素マイナスイオンビームを発生させ、実用性と装飾性、芸術性を両立させた額縁を提供する。【解決手段】額縁の裏板の上にコンデンサーの負極になる金属板、写真または絵画等、ガラスまたは透明プラスチック板、導電面を上にした酸化インジュウムまたは酸化亜鉛の透明導電膜フイルムを順番に重ねて置き、（ガラスまたは透明プラスチック板の表面が透明導電膜になる場合はフイルム不要）、金属板と透明導電膜の表面（コンデンサーの正極）の間に電池を繋ぐ。【選択図】図１
0003143078.tif 000002
【実用新案登録請求の範囲】
【請求項１】
金属板（負極）と透明導電膜（正極）でおおわれた透明なガラス板、またはプラステック板、またはフイルムの間に写真や絵画等を挿入し、電圧をかけると平面コンデンサ−になり、透明導電膜面に自然吸着していた水素が分極し、透明導電膜の表面から水素マイナスイオンが発生する。このような額縁。
【考案の詳細な説明】
【考案の詳細な説明】
特許願２００２−１４３８３６で、すでにコンデンサ−型の水素マイナスイオン発生の原理を示した。簡単には二枚の金属板の間に絶縁膜を挟んで電圧をかけ、正極側の金属板に多数の小穴を開ける。このとき絶縁膜表面に自然吸着している水素分子Ｈ２が分極（Ｈ＋−Ｈ−）しているので、水素マイナスイオンＨ−（正極側）がビ−ムとして加速され大気中に放出される。原理は以上のようであるが、正極が金属メッシュでは額縁に使用しても透明性がないので実用的な壁掛けマイナスイオン発生器にしかならない。
さてここで正極板がもし透明な電導体であり、多くの小穴があれば、写真、絵画等を絶縁膜と正極板の間に挿入すればあたかもそれ等の表面からマイナスイオンが発生したようになり、装飾性、芸術性が実用性に加わる。
そこで本考案では、透明な絶縁膜の片側表面に酸化インジュウム（ＩＴＯ）または酸化亜鉛（ＺｎＯ）をコ−テングした透明導電膜に注目し、負極金属板の上に写真や絵画等を置き、更にその上に透明導電膜を置き（導電面を上にして）負極板との間に電圧をかけるようにした。即ち、透明導電膜の表面が平面コンデンサ−の正極となる。ＩＴＯまたはＺｎＯは１０Å以上の間隔で配列されているので小穴が多数絶縁膜の上にあることに相当する。大気中での水素は極めて吸着力が強く、ＩＴＯまたはＺｎＯの下にも吸着した水素Ｈ２があり、コンデンサ−に電圧をかけるとＨ２はＨ＋，Ｈ−に分極する。Ｈ−は１Å程度の大きであり、ＩＴＯまたはＺｎＯの分子間隔がより大きいのでそれ等の隙間からＨ−は電界によって大気中にビ−ム状に引き出される。実際の額縁での手順は図１に示した。
かくて、部屋に飾った写真や名画の表面から、人体に効用があると言われているマイナスイオンが場所もとらず、安価で騒音もなく簡単に多量（数万ヶ／ｃｃ）に発生できるようになった。なお、コンデンサ−にかける電圧を逆にすれば水素プラスイオンＨ＋も発生できる。従って、Ｈ−，Ｈ＋併用により、プラズマ的にも利用できる。
【図面の簡単な説明】
【図１】  透明導電膜面を正極にした平面コンデンサ−型額縁
【符号の説明】
［図１］
１はコンデンサ−の負極になる金属板、２は写真または絵画等、３は額縁のガラス板または透明プラスチック板、４はＩＴＯまたはＺｎＯをコ−テングした透明導電膜（カラス板、透明プラスチック板表面密着、別途フィルムの場合あり）、５はコンデンサ−の正極になるＩＴＯまたはＺｎＯの導電膜の表面、６は水素マイナスイオンＨ−ビ−ム、７は電池。
【図１】
0003143078.tif 000003